(57)【要約】      （修正有）【課題】壁の模様替えを手軽に行え、而も一人のみでも簡単、迅速に行うことができる壁面装飾用パネルを提供する。【解決手段】装飾パネル２と接合止着部材としての貼り合わせ式面ファスナー５とをもって構成する。装飾パネル２は、取り付ける壁体の表面より小さく且つ所定の形状に裁断した軽量素材からなる芯材３の少なくとも前面側に、見た目において装飾効果を有する化粧シート４を貼着して形成する。貼り合わせ式面ファスナー５におけるループ状の係合片を有する一方側の面材５ａを芯材３の背面に固定し、フック状の係合片を有する他方側の面材５ｂを壁体の表面に固定する。壁体の表面に、上下方向や左右方向に並べて取り付ける。場合によっては壁体の表面に部分的に取り付けるようにしてもよい。【選択図】図１
0003175888.tif 000002
【実用新案登録請求の範囲】
【請求項１】
取り付ける壁体の表面より小さく且つ所定の形状に裁断した軽量素材からなる芯材の少なくとも前面側に、見た目において装飾効果を有する化粧シートを貼着して形成した装飾パネルと、該装飾パネルの背面を壁体の表面に止着するための接合止着部材とからなることを特徴とする壁面装飾用パネル。
【請求項２】
芯材が発泡スチロールである請求項１記載の壁面装飾用パネル。
【請求項３】
化粧シートが、植物繊維製又は樹脂製の化粧シートである請求項１又は２記載の壁面装飾用パネル。
【請求項４】
化粧シートの芯材への貼着が、ホットメルト接着剤による貼着である請求項１、２又は３記載の壁面装飾用パネル。
【請求項５】
接合止着部材が貼り合わせ式面ファスナーである請求項１、２、３又は４記載の壁面装飾用パネル。
【考案の詳細な説明】
【技術分野】
【０００１】
本考案は家屋内の壁体の表面に取り付けて壁面を装飾する壁面装飾用パネルに関するものである。
【背景技術】
【０００２】
古くなったり、部屋全体の雰囲気を変えたりするために、家屋内の壁の模様替えを実施することがある。そしてこのときには、一般的に、模様替えを行おうとする壁面と同一の大きさの板や繊維、紙からなる装飾材を室内に運び込み、板からなる装飾材の場合には、これの適宜の位置を、例えば釘等を打ち込んで固定するか或いは接着剤で接着して固定し、また繊維や紙からなる装飾材の場合には、その背面の全体に接着剤を塗布し、押し拡げながら貼着していた。
【０００３】
しかし、板からなる装飾材の場合には、全体が大きくて重いことから、運搬するときにも大変であり、また、取り付け作業を行なうときにも一人では手際よく行なうことができなかった。また、繊維や紙からなる装飾材の場合には、丸めて持ち運ぶことができることから、運搬は楽に行なうことができるものの、これを壁面に貼り付けるときに、位置合わせを行いながら徐々に押し拡げつつ貼り付けるものであり、熟練者でも相当な手間と時間を要するものであった。
【０００４】
また、一旦取り付けた装飾材を壁面から取り外すときにも面倒であり、取り付けの仕方によっては壁面に傷が残ることがあった。
【考案の概要】
【考案が解決しようとする課題】
【０００５】
本考案は上記の点に鑑みなされたものであって、取り付ける壁体の表面よりも小さなパーツとして構成すると共に全体を軽量化し、これを壁体の表面に容易に着脱することができるようになし、もって壁の模様替えを手軽に行なえ、而も一人のみでも簡単、迅速に行なうことができると共に、壁体の表面に部分的に取り付けて芸術的な雰囲気を醸し出すようにすることもできるようになした壁面装飾用パネルを提供しようとするものである。
【課題を解決するための手段】
【０００６】
而して、本考案の要旨とするところは、取り付ける壁体の表面より小さく且つ所定の形状に裁断した軽量素材からなる芯材の少なくとも前面側に、見た目において装飾効果を有する化粧シートを貼着して形成した装飾パネルと、該装飾パネルの背面を壁体の表面に止着するための接合止着部材とからなることを特徴とする壁面装飾用パネルにある。
【０００７】
また、上記構成において、芯材としては発泡スチロールとすることが好ましい。
【０００８】
また、上記構成において、化粧シートとしては、植物繊維製又は樹脂製の化粧シートとすることが好ましい。
【０００９】
また、上記構成において、化粧シートの芯材への貼着手段としては、ホットメルト接着剤による接着が好ましい。
【００１０】
また、上記構成において、接合止着部材としては、貼り合わせ式面ファスナーとすることが好ましい。
【考案の効果】
【００１１】
本考案は上記の如き構成であり、取り付ける壁体の表面よりも小さなパーツとして構成すると共に全体を軽量化し、これを壁体の表面に容易に着脱することができるようになしたものであるから、壁の模様替えを手軽に行なえ、而も一人のみでも簡単、迅速に行なうことができるものである。また、壁体の表面全体の模様替えを行なう場合のみでなく、壁体の表面に部分的に取り付けて芸術的な雰囲気を醸し出すようにすることもできるものである。また、小型で薄いことから保管や運搬にも便利である。
【００１２】
また、芯材として発泡スチロールを用いた場合には、軽量であることから保管や運搬が楽であり、また取り付け、取り外しも楽に行なうことができ、作業の迅速化を図ることができるものである。
【００１３】
また、化粧シートとして植物繊維製のものを用いた場合には、環境保護を図ることもできるものである。
【００１４】
また、化粧シートの芯材への貼着手段として、ホットメルト接着剤による接着を採用する場合には、アイロンによる加熱と加圧で容易に接着を行なうことができ、製作が容易となるものである。
【００１５】
また、接合止着部材として貼り合わせ式面ファスナーとした場合には、壁面への着脱が容易であり、取り付け、取り外しの作業が簡単、迅速に行なえるものである。
【図面の簡単な説明】
【００１６】
【図１】本考案の実施形態に係る壁面装飾用パネルの背面上部側から看た斜視図である。
【図２】壁面への取り付け状態を示す斜視図である。
【図３】壁面へ取り付けた状態の部分拡大断面図である。
【図４】図３中Ａ部分の拡大図である。
【考案を実施するための形態】
【００１７】
以下、本考案を実施するための形態について、図面を参照して説明する。
【００１８】
図中、１は壁面装飾用パネルであり、後記装飾パネルと接合止着部材とからなるものである。
【００１９】
２は装飾パネルである。また、該装飾パネル２は、取り付ける壁体の表面より小さく且つ所定の形状に裁断した軽量素材からなる芯材３の少なくとも前面側に、見た目において装飾効果を有する化粧シート４を貼着して形成してなるものである。勿論芯材３の全体を包むように貼着してもよい。
【００２０】
また、該装飾パネル２における芯材３は、本実施形態においては発泡スチロールからなり、また正方形になしている。また、該芯材３の背面の四隅には、後記接合止着部材としての貼り合わせ式面ファスナーの一方を内部に固定する凹部３ａ、３ａを穿設している。
【００２１】
また、前記見た目において装飾効果を有する化粧シート４は、本実施形態においては化粧シート自体が植物繊維からなるものであり、そしてこれに適宜の彩色や模様を施してなるものである。また、これらと併せて、或いはこれらとは併せないで凹凸模様を施すようにしてもよい。また、化粧シート４の前記芯材３への貼着は、本実施形態においてはホットメルト接着剤（図示せず。）による貼着によって行なっている。そして、この場合には、アイロンによる熱と加圧で容易に貼着を行なうことができるものである。
【００２２】
５は前記装飾パネル１の背面を壁体の表面に止着するための接合止着部材としての貼り合わせ式面ファスナーである。また、該貼り合わせ式面ファスナー５は、周知の通りループ状の係合片を有する一方側の面材５ａと、フック状の係合片を有する他方側の面材５ｂとからなるものである。また、本実施形態においては、ループ状の係合片を有する一方側の面材５ａを、前記芯材３の背面に穿設した凹部３ａ、３ａの夫々の底部に落とし込んで固定している。また、もう一方側の面材５ｂは壁体の表面に固定している。また、これらの固定手段としては特に限定はないが、本実施形態においては両面粘着テープ（図示せず。）を用いている。尚、その他図中６は壁体を示す。
【００２３】
次に、上記実施形態の作用について説明する。
先ず、模様替えのために壁体６の表面に初めて壁面装飾用パネル１を取り付ける場合について説明する。この場合には、図２に示す如く、壁体６の表面における適宜の部位、例えば全体、或いは所定の部位に部分的に貼り合わせ式面ファスナー５の面材５ｂを固定する。そして、装飾パネル２を、その背面に固定した貼り合わせ式面ファスナー５の面材５ａを壁体６に固定した面材５ｂに係合させることによって壁体６の表面に取り付ける。そして、このようにしながら装飾パネル２を順次上下方向や左右方向に並べて取り付けていくものである。また、装飾パネル２を、壁体６の表面に部分的に取り付けることにより、芸術的な雰囲気を醸し出すようにすることもできるものである。そしてまた、更に壁の模様替えを行なうときには、先ず壁体６の表面に取り付けてある壁面装飾用パネル１の全てを取り外し、その後新しい壁面装飾用パネル１をつけ替えるものであるが、接合止着部材が貼り合わせ式面ファスナーであるから、これらの作業を楽に且つ迅速に行なうことができるものである。そして、以上の作業を一人のみでも簡単、迅速に行なうことができるものである。
【００２４】
以上の実施形態によれば、壁面装飾用パネル１を、取り付ける壁体６の表面よりも小さなパーツとして構成すると共に、芯材３として発泡スチロールを用いることにより全体を軽量化し、これを接合止着部材としての面ファスナー５により壁体６の表面に容易に着脱することができるようになしているから、壁の模様替えを手軽に行なえ、而も一人のみでも簡単、迅速に行なうことができるものである。また、壁体の表面全体の模様替えを行なう場合のみでなく、壁体の表面に部分的に取り付けて芸術的な雰囲気を醸し出すようにすることもできるものである。また、小型で薄いことから保管や運搬にも便利である。また、化粧シート４として植物繊維製のものを用いた場合には、環境保護を図ることもできるものである。また、化粧シート４の芯材３への貼着手段として、ホットメルト接着剤による接着を採用しているから、アイロンの熱の加圧で容易に接着を行なうことができ、製作か容易である。
【符号の説明】
【００２５】
１  壁面装飾用パネル
２  装飾パネル
３  芯材
４  化粧シート
５  貼り合わせ式面ファスナー
【図１】
0003175888.tif 000003
【図２】
0003175888.tif 000004
【図３】
0003175888.tif 000005
【図４】
0003175888.tif 000006